(57)【要約】位置領域関連情報を受信することと、位置領域関連情報と隣接セル情報とを関連付けて、セルが禁止位置領域に属するかどうかを判断することと、セルが禁止位置領域に属すると判断されると、そのセルの選択を避けることとを含む方法。説明される実施形態は、UE、ネットワーク構成要素、コンピュータ・プログラムおよび集積回路を含む。【選択図】図１Ａ、図１Ｂ
2009505547.tif 000002
【特許請求の範囲】
【請求項１】
位置領域関連情報を受信することと；
セルが禁止位置領域に属するかどうか判断するために、前記位置領域関連情報と隣接セル情報とを関連付けることと；
前記セルが前記禁止位置領域に属すると判断されると、前記セルの選択を避けることと
を含む方法。
【請求項２】
前記位置領域関連情報は、位置領域と、隣接セル・リスト内の少なくとも１つの他のセルとの間の関連付けを含む、請求項1に記載の方法。
【請求項３】
前記位置領域関連情報は、無線アクセス・ネットワーク（RAN：Radio Access Network）・システム情報ブロードキャストメッセージと、位置領域（LA：location area）情報および公衆地上移動通信ネットワーク（PLMN：Public Land Mobile Network）情報のうちの少なくとも１つとを含む、請求項1に記載の方法。
【請求項４】
前記位置領域関連情報は、無線アクセス・ネットワーク（RAN）・システム情報ブロードキャストメッセージと、3G隣接セル・リスト内の複数のセルそれぞれについての情報とを含む、請求項1に記載の方法。
【請求項５】
前記受信することは、禁止位置領域（LA）リストを含む位置更新拒否メッセージを受信することを含む、請求項1に記載の方法。
【請求項６】
位置領域内にあると共に関連せしめられた周波数を有する選択されたセルについて、拒否通知を受信することと；
前記位置領域を禁止位置領域リストに追加することと；
それ以降、前記関連周波数を有する前記選択されたセルの他、少なくとも１つのセルの選択を禁止することと
を含む方法。
【請求項７】
前記少なくとも１つのセルが同一周波数セル（intra-frequency cell）および異周波数セル（inter-frequency cell）のうちの１つであり、さらに前記少なくとも１つのセルが禁止位置領域に属するならば、前記禁止することは、前記少なくとも１つのセルの前記選択を所定の期間禁止することを含む、請求項6に記載の方法。
【請求項８】
前記期間は300秒以内である、請求項7に記載の方法。
【請求項９】
前記禁止位置領域リスト内の前記位置領域に対応する前記少なくとも１つのセルと前記関連周波数とを含む、RANレベルのブラック・リストを作成することをさらに含む、請求項6に記載の方法。
【請求項１０】
前記少なくとも１つのセルおよび関連周波数を、前記RANレベルのブラック・リストから選択的に削除することをさらに含む、請求項7に記載の方法。
【請求項１１】
位置領域関連情報を受信する送受信機と；
前記送受信機に組み合わされるプロセッサと；
前記プロセッサによって実行可能な一連の命令を格納し、前記プロセッサに組み合わされる記憶装置であって、前記命令は、セルが禁止位置領域に属するかどうか判断するために前記位置領域関連情報と隣接セル情報とを関連付け；前記セルが前記禁止位置領域に属すると判断されると、前記セルの選択を避けるためのものである、前記記憶装置と
を含むユーザ装置。
【請求項１２】
前記位置領域関連情報は、位置領域と、隣接セル・リスト内の少なくとも１つの他のセルとの間の関連付けを含む、請求項11に記載のユーザ装置。
【請求項１３】
前記位置領域関連情報は、LAI_ID_3Gフィールドを含む3G_neighbor_Cell_LAI_Description要素（3G隣接セルLAI記述要素）を含む、請求項11に記載のユーザ装置。
【請求項１４】
前記位置領域関連情報は、無線アクセス・ネットワーク（RAN）・システム情報ブロードキャストメッセージと、位置領域（LA）情報および公衆地上移動通信ネットワーク（PLMN）情報のうちの少なくとも１つとを含む、請求項11に記載のユーザ装置。
【請求項１５】
前記位置領域関連情報は、無線アクセス・ネットワーク（RAN）・システム情報ブロードキャストメッセージと、3G隣接セル・リスト内の複数のセルそれぞれについての情報とを含む、請求項11に記載のユーザ装置。
【請求項１６】
前記位置領域関連情報は、位置更新拒否メッセージ内で受信される禁止LAリストを含む、請求項11に記載のユーザ装置。
【請求項１７】
位置領域内にあり関連周波数を有する選択されたセルについて、拒否通知を受信する送受信機と；
前記送受信機に組み合わされるプロセッサと；
前記プロセッサによって実行可能な一連の命令を格納し、前記プロセッサに組み合わされる記憶装置であって、前記命令は、前記位置領域を禁止位置領域リストに追加し；前記関連周波数を有する前記選択されたセルの他、少なくとも１つのセルの選択を禁止するためのものである、前記記憶装置と
を含む、ユーザ装置。
【請求項１８】
前記禁止位置領域リスト内の前記位置領域に対応する前記少なくとも１つのセルと前記関連周波数とを含む、RANレベルのブラック・リストを作成することをさらに含む、請求項17に記載のユーザ装置。
【請求項１９】
前記少なくとも１つのセルおよび前記関連周波数を、前記RANレベルのブラック・リストから選択的に削除することをさらに含む、請求項18に記載のユーザ装置。
【請求項２０】
送信機に組み合わされる出力部を有するプロセッサと；
前記プロセッサによって実行可能な一連の命令を格納し、前記プロセッサに組み合わされる記憶装置であって、前記命令は、位置領域と、隣接セル・リスト内の少なくとも１つのセルとを関連付ける位置領域関連情報を含むブロードキャストシステム情報を送信するためのものである、前記記憶装置と
を含むネットワーク構成要素。
【請求項２１】
前記ブロードキャストシステム情報は、無線アクセス・ネットワーク（RAN）・システム情報ブロードキャストメッセージと、位置領域（LA）情報および公衆地上移動通信ネットワーク（PLMN）情報のうちの少なくとも１つとを含む、請求項20に記載のネットワーク構成要素。
【請求項２２】
前記ブロードキャストシステム情報は、無線アクセス・ネットワーク（RAN）・システム情報ブロードキャストメッセージと、3G隣接セル・リスト内の複数のセルそれぞれについての情報とを含む、請求項20に記載のネットワーク構成要素。
【請求項２３】
送信機に組み合わされるプロセッサと；
前記プロセッサによって実行可能な一連の命令を格納し、前記プロセッサに組み合わされる記憶装置であって、前記命令は、位置領域と、隣接セル・リスト内の少なくとも１つのセルとの間の関連付けを含む位置領域関連情報を送信するためのものである、前記記憶装置と
を含むネットワーク構成要素、および、
前記位置領域関連情報を受信する送受信機と；
前記送受信機に組み合わされるプロセッサと；
前記プロセッサによって実行可能な一連の命令を格納し、前記プロセッサに組み合わされる記憶装置であって、前記命令は、セルが禁止位置領域に属するかどうか判断するために、前記受信された位置領域関連情報と隣接セル情報とを関連付け；
前記セルが前記禁止位置領域に属すると判断されると、前記セルの選択を避けるためのものである、前記記憶装置と、
を含むユーザ装置、
を含むシステム。
【請求項２４】
動作を実行させるべく、デジタル処理装置により実行可能な機械可読命令のプログラムを有形に具現化する信号保持媒体であって、前記動作は、
位置領域関連情報を受信することと；
セルが禁止位置領域に属するかどうか判断するために、前記位置領域関連情報と隣接セル情報とを関連付けることと；
前記セルが前記禁止位置領域に属すると判断されると、前記セルの選択を避けることと
を含む信号保持媒体。
【請求項２５】
前記位置領域関連情報は、位置領域と、隣接セル・リスト内の少なくとも１つの他のセルとの間の関連付けを含む、請求項24に記載の信号保持媒体。
【請求項２６】
前記位置領域関連情報は、無線アクセス・ネットワーク（RAN）・システム情報ブロードキャストメッセージと、位置領域（LA）情報および公衆地上移動通信ネットワーク（PLMN）情報のうちの少なくとも１つとを含む、請求項24に記載の信号保持媒体。
【請求項２７】
前記位置領域関連情報は、無線アクセス・ネットワーク（RAN）・システム情報ブロードキャストメッセージと、3G隣接セル・リスト内の複数のセルそれぞれについての情報とを含む、請求項24に記載の信号保持媒体。
【請求項２８】
前記受信することは、禁止位置領域（LA）リストを含む位置更新拒否メッセージを受信することを含む、請求項24に記載の信号保持媒体。
【請求項２９】
位置領域関連情報を受信するように動作しうる入力部を有する第１回路と；
セルが禁止位置領域に属するかどうかを判断するために、前記位置領域関連情報と隣接セル情報とを関連付けるように動作しうる第２回路と；
前記セルが前記禁止位置領域に属すると判断されると、前記セルの選択を避けるように動作しうる第３回路と
を含む集積回路。
【請求項３０】
位置領域内にあり関連周波数を有する選択されたセルについて、拒否通知をユーザ装置で受信することと；
前記位置領域を、前記ユーザ装置内の禁止位置領域リストに追加することと；
前記関連周波数を有する前記選択されたセルの他、少なくとも１つのセルの再選択を一定期間禁止すること、ただし、前記少なくとも１つのセルは、最高ランクのセルであり、同一周波数セル（intra-frequency cell）および異周波数セル（inter-frequency cell）のうちの１つであり、前記少なくとも１つのセルは、前記禁止位置領域リストに記載されているか、または前記ユーザ装置の登録済み公衆地上移動通信ネットワーク（PLMN）に相当すると示されているPLMNに属する、前記禁止することと
を含む方法。
【請求項３１】
前記期間は約300秒である、請求項30に記載の方法。
【請求項３２】
データ・プロセッサに組み合わされる送受信機であって、前記データ・プロセッサは、前記データ・プロセッサにより実行可能なコンピュータ・プログラム命令を格納する記憶装置に繋がれており、前記命令はSI2quater Rest Octetメッセージをコンパイルするためのものであり、前記メッセージは3G_neighbor_Cell_LAI_Description（3G隣接セルLAI記述）要素を含み、前記送受信機は、そのセル内で前記メッセージをブロードキャストするためのものである、前記送受信機
を含むネットワーク構成要素。
【請求項３３】
前記3G_neighbor_Cell_LAI_Description要素は、3G LAIの識別子および3G隣接セルのビットマップを含む、請求項32に記載のネットワーク構成要素。
【発明の詳細な説明】
【技術分野】
【０００１】
本発明の非限定的な例示的実施形態は、全般的に無線通信のデバイス、方法、コンピュータ・プログラムおよびシステムに関し、特に、ローミングを許可する無線通信システムに関する。
【背景】
【０００２】
以下の略語は次のように定義される。
2G       GSMなどの第２世代移動通信システム
3G       UTRANなどの第３世代移動通信システム
CCCH     共通制御チャネル（Common Control Channel）
CN     コア・ネットワーク（Core Network）
CSドメイン   回線交換（Circuit Switched）ドメイン、一般的には通常の電話のトラフィック
GSM      グループ・スペシャル・モバイル（Groupe Special Mobile）、グローバル移動通信システム
LA       位置領域（Lacation Area）
LAI      位置領域識別情報（Location Area Identity）、PLMN識別子＋LA識別子
LR       位置登録（Location Registration）、CS位置更新／PSルーティング・エリア更新、または組み合わせ
PBCCH    パケット・ブロードキャスト制御チャネル（Packet Broadcast Control Channel）
PCCCH    パケット共通制御チャネル（Packet Common Control Channel）
PLMN     公衆地上移動通信ネットワーク（Public Land Mobile Network）
PSI3シリーズ    パケット・システム情報（Packet System Information）タイプ3
PSドメイン      パケット交換（Packet Switched）ドメイン、コネクションレス型トラフィック
RAN      無線アクセス・ネットワーク（Radio Access Network）
RAT      無線アクセス技術（Radio Access Technology）
SI       システム情報（System Information）
UE       ユーザ装置（User Equipment）、（移動端末または移動局など）
UTRAN    ユニバーサル地上無線アクセス・ネットワーク（Universal Terrestrial Radio Access Network）
WCDMA    広帯域符号分割多元接続（Wideband Code Division Multiple Access）
【０００３】
2Gネットワークを制御しない3Gネットワークのオペレータが国内ローミング契約を成立させ、このネットワーク・オペレータの3G受信可能範囲の対象範囲外でネットワーク・サブスクライバにサービスを提供する場合、問題が発生する可能性がある。ローミング・パートナーも3Gサービスを提供していることもあるが、3Gサービスは国内ローミングに利用可能でないかもしれない。同様に、デュアル・モード・ネットワークのオペレータが2Gネットワークのみでの国際ローミングを許可することもある。特定のホーム・ネットワーク利用者のみが3Gネットワークにアクセスできる場合も、別の同じような状況が発生する可能性がある。ローミング中のサブスクライバ（通常、3Gサービスの使用許可を得ていない）は、位置領域内に3Gセルがあっても、3Gサービスを使用してはいけない。一方、3G隣接セルは、2Gネットワーク上でブロードキャストされるため、ローミング中のサブスクライバもこの情報を受信して定義どおりに使用することになる。これは、ローミング中のサブスクライバが3Gセルへの再選択を行う可能性もあるということを意味する。ネットワーク・オペレータは、3Gセルを2G位置領域（単数または複数）とは異なる位置領域（単数または複数）に集中させて、3Gセルの使用が許可されていないサブスクライバの3G位置領域への位置更新リクエストを拒否する（適切な原因値を用いて）ことにより、ローミング中のサブスクライバが3Gサービスを受けないようにすることもある。その結果、拒否原因が、例えば＃15に指定されているもの（「この位置領域に適切なセルがない」）であれば、サブスクライバは3Gセルから出ながらも、同じネットワーク内にとどまらざるを得なくなる。
【０００４】
サブスクリプションに基づき、ホーム・ネットワークの2G部分でのみの運用をユーザが許可されており、ホーム・ネットワークの3G部分では許可されていなければ、このユーザの2Gおよび3G対応のホーム・ネットワークで同様の（ローミングではない）シナリオがさらに発生することもある。
【０００５】
概して、これは、試行されたLR手順がネットワークによる拒否という結果に終わると、ネットワークがリクエストの拒否を示すメッセージに含めた原因値によって、UEの動作が左右されるということを意味する。拒否原因値は、同じ位置領域（LA）内の全セルにわたり意味をもつ場合もある。例として、原因値＃15（「この位置領域に適切なセルがない」）は、同じLA内のすべてのセルに対するUEのアクセスを拒否する。位置領域の拒否は、UEにその位置領域を、一定時間（12時間など）UEがアクセスできない禁止位置領域のリストに追加させる。
【０００６】
その結果、その後のセル再選択手順では、サービス中の公衆地上移動通信ネットワーク（PLMN）の、同じLAを示すセルすべてが除外されることになるため、実際のところUEは、同じPLMN内の別のLAのセルを探すようネットワークにより命令される。
【０００７】
現在の方法に関する１つの問題は、UEがGSMセルを再選択しなおしたときに、システム情報メッセージに基づきUEがWCDMA隣接セルについて知っているのは、無線周波数およびスクランブル・コードのみということである。さらに、2Gから3Gへの再選択は、再選択の試行が開始される前に目標のセルの適切性基準を確認する必要はないという原則に従っている。これは、サービス中のセルでの動作を侵害せずには不可能な場合もある。
【０００８】
これは、UEが短時間後に、同じ3Gセルまたは別の3Gセルに対する再選択を試みるかもしれないということを意味する。位置領域は禁止位置領域リストに載っているため、この再選択の結果は失敗に終わると思われる。しかしこれは、UEがセルへの再選択を行うか、または3Gセルの位置領域情報の読み取り（例えばセル変更の前に）を行わない限りは分からない。この方法は時間のかかるものであり、消費電力を増やし、最悪の場合、GPRSパケット通信モード中（セル再選択にNC0またはNC1モードが適用されているとき）に不成功の（不要な）再選択が試行されると不通状態が生じるため、ユーザが質の悪い接続状態に直面する可能性もある。この場合、データ転送の質が大幅に下がり（「不要な」再選択が試行される頻度による）、ページが失われるかまたは接続が完全に失われる可能性もある。
【０００９】
2G側では、UEは、CCCHにキャンプ・オンしているときにSI3／4を読み取ることが求められており、その後再選択が可能になる。このSI（システム情報とも呼ばれる）メッセージ中で受信される情報は、隣接セルの位置領域に関する情報を含む。これによってUEは、セル変更の前に、セルが禁止位置領域リストに載っているかどうかを判断することができる。載っていれば、UEはそのセルに対するセル変更を防ぐことができる。
【００１０】
2G−3G間の相互接続という状況では、多くの場合同じ方法は不可能である。UEにとっての解決策として現在唯一指定されているは、上記のようにセル再選択の実行を試みることである。この試行錯誤のメカニズムは、あまり効率的ではない。UEが、同一の3Gセルに対して複数回にわたるセル再選択を試行しても、失敗が次々と繰り返されることもある。
【００１１】
3Gセルに対する再選択の場合、UEは、当該のセルの位置領域情報を取得するために3Gセルのシステム情報を読み取る必要がある。しかし、継続中のGPRSデータ転送接続がある間にこれを行うには、MSはデータ転送を中断する必要があり、これは、データ処理量の低下をもたらすこともある。
【００１２】
なお、UEまたは移動局（MS）がPCCCHにキャンプ・オンしている場合、2G側でも同様の状況が存在する。この場合UEは、現在サービス中のセルの、PBCCH上でのブロードキャストPSI3シリーズから、セル再選択に関して隣接セル（単数または複数）のパラメータを受信する。これは、MSが、セル再選択に影響を及ぼすパラメータを取得するために隣接セルのSI3／4情報を読み取る必要はなく、MSは隣接セルのLAIを知らないため、2G−3G間の相互接続でのセル再選択と同じ状況がもたらされることになるということを意味する。
【摘要】
【００１３】
これら教示の例示的実施形態によって、前述の問題およびその他の問題が解決され、他の利点が実現される。
【００１４】
本発明の例示的実施形態によれば、方法は、位置領域関連情報を受信することと、位置領域関連情報と隣接セル情報とを関連付けて、セルが禁止位置領域に属するかどうかを判断することと、セルが禁止位置領域に属すると判断されると、そのセルの選択を避けることとを含む。
【００１５】
本発明の例示的実施形態によれば、方法は、位置領域内の関連周波数を有する選択されたセルについて、拒否通知を受信することと、禁止位置領域リストに位置領域を追加することと、前記関連周波数を有する選択されたセルの他、少なくとも１つのセルの再選択を禁止することとを含む。
【００１６】
本発明の例示的実施形態によれば、ユーザ装置は、位置領域関連情報を受信する送受信機と、送受信機に繋がれたプロセッサと、プロセッサに繋がれた記憶装置とを含み、この記憶装置は、位置領域関連情報と隣接セル情報とを関連付けてセルが禁止位置領域に属するかどうかを判断し、セルが禁止位置領域に属すると判断されるとそのセルの選択を避けるための、プロセッサにより実行可能な一連の命令を格納している。
【００１７】
本発明の例示的実施形態によれば、ユーザ装置は、位置領域内の関連周波数を有する選択されたセルについて、拒否通知を受信する送受信機と、送受信機に繋がれたプロセッサと、プロセッサに繋がれた記憶装置とを含み、この記憶装置は、禁止位置領域リストに位置領域を追加し、前記関連周波数を有する選択されたセルの他、少なくとも１つのセルの選択を禁止するための、プロセッサによって実行可能な一連の命令を格納している。
【００１８】
本発明の例示的実施形態によれば、ネットワーク構成要素は、送信機に組み合わされる出力部を有するプロセッサと、プロセッサに繋がれた記憶装置とを含み、この記憶装置は、位置領域と隣接セル・リスト内の少なくとも１つのセルとを関連付ける位置領域関連情報を含むブロードキャストシステム情報を送信するための、プロセッサにより実行可能な一連の命令を格納している。
【００１９】
本発明の別の実施形態によれば、システムはネットワーク構成要素およびユーザ装置を含み、ネットワーク構成要素は、送信機に繋がれたプロセッサと、プロセッサに繋がれた記憶装置とを含み、この記憶装置は、位置領域と隣接セル・リスト内の少なくとも１つのセルとの間の関連付けを含む位置領域関連情報を送信するための、プロセッサにより実行可能な一連の命令を格納しており、ユーザ装置は、位置領域関連情報を受信する送受信機と、送受信機に繋がれたプロセッサと、プロセッサに繋がれた記憶装置とを含み、この記憶装置は、位置領域関連情報と隣接セル情報とを関連付けてセルが禁止位置領域に属するかどうかを判断し、セルが禁止位置領域に属すると判断されるとそのセルの選択を避けるための、プロセッサにより実行可能な一連の命令を格納している。
【００２０】
本発明の例示的実施形態によれば、デジタル処理装置により実行可能な機械可読命令のプログラムを有形に具現化する信号保持媒体が、位置領域関連情報を受信することと、位置領域関連情報と隣接セル情報とを関連付けてセルが禁止位置領域に属するかどうかを判断することと、セルが禁止位置領域に属すると判断されると、そのセルの選択を避けることとを含む動作を実行する。
【００２１】
本発明の例示的実施形態によれば、集積回路は、位置領域関連情報を受信するよう動作可能な入力部を有する第１回路と、位置領域関連情報と隣接セル情報とを関連付けてセルが禁止位置領域に属するかどうかを判断するよう動作可能な第２回路と、セルが禁止位置領域に属すると判断されると、そのセルの選択を避けるよう動作可能な第３回路とを含む。
【００２２】
本発明の例示的実施形態によれば、方法は、位置領域内の関連周波数を有する選択されたセルについて、拒否通知をユーザ装置で受信することと、ユーザ装置内の禁止位置領域リストに位置領域を追加することと、関連周波数を有する選択されたセルの他、少なくとも１つのセルの再選択を一定時間禁止することとを含み、ここで、該少なくとも１つのセルは、最高ランクのセルであり、同一周波数セル（intra-frequency cell）および異周波数セル（inter-frequency cell）のうちの１つであり、該少なくとも１つのセルは、禁止位置領域リストに載っているか、または、ユーザ装置の登録済み公衆地上移動通信ネットワーク（PLMN）に相当すると示されているPLMNに属している。
【００２３】
本発明の例示的実施形態によれば、ネットワーク構成要素は、データ・プロセッサに繋がれた送受信機を含み、データ・プロセッサは、データ・プロセッサにより実行可能なコンピュータ・プログラム命令を格納する記憶装置に繋がれており、この命令は、SI2quater Rest Octetメッセージをコンパイルするためのものであり、前記メッセージは、3G_neighbor_Cell_LAI_Description要素（3G隣接セルLAI記述要素）を含み、送受信機はこのメッセージをそのセル内でブロードキャストする。
【図面の簡単な説明】
【００２４】
【図１Ａ】図１Ａと１Ｂを合わせて一つの図１である。図１は、本発明の例示的実施形態による、（場合によっては）アクセス禁止のセルへの不要なセル再選択を防止するための、ＵＥによるＲＡＮレベルのブラック・リストの保存およびブラック・リストの情報の使用を図示する、論理流れ図である。
【図１Ｂ】上述のように、図１Ａと１Ｂを合わせて一つの図１を構成する。
【図２】本発明の例示的実施形態による、ＵＥがＲＡＮレベルのブラック・リストを消去する技術を図示する論理流れ図である。
【図３】本発明の例示的な非限定的実施形態を実装するのに適した装置のブロック図である。
【図４】本発明の例示的実施形態による方法の流れ図である。
【図５】本発明の例示的実施形態による方法の流れ図である。
【図６】本発明の例示的実施形態による方法の流れ図である。
【詳細な説明】
【００２５】
本発明の例示的実施形態は、全般的にセル方式の移動性に関するが、非セル方式の技術にも同じく適用可能である。本発明の例示的実施形態により、アクセスできない位置領域に対する再選択／セル変更をユーザ装置（UE）とも呼ばれる移動デバイスが実行する可能性がある状況において、移動性が高まる。本発明は、第２世代と第３世代（2G、3G）との間の相互接続を非限定的な例として使用して説明されており、UTRANで用いられると特に有益である。
【００２６】
登録済み公衆地上移動通信ネットワーク（PLMN）のセルにUEがキャンプ・オンしているとき、UEは、サービス中のPLMN内で入手可能なネットワーク設定に従い、確実に最良のセルにキャンプ・オンするべく、セル再選択を実行することもある。
【００２７】
セル再選択の後、新たなセルが異なるLAの一部であるということがLAIに基づき分かると、UEは、新たなLAへ移動したことを、LR手順を実行してネットワークに通知するかどうか決定する。
【００２８】
本発明の例示的実施形態によれば、UEは、隣接リストおよびブロードキャスト情報に基づいて位置領域情報と隣接セル情報とを関連付け、その結果、特定のセルが禁止位置領域リストに載っている位置領域に属するかどうかを直接的に判断することができる。
【００２９】
上記の問題を解決するために複数の実施形態が提供されるが、それには、ネットワークを使った複数の実施形態およびUEのみの少なくとも１つの実施形態が含まれる。UEのみの実施形態は、現行方式に比べて改善された動作を直ちに提供する。ネットワークを使った実施形態は、上記の問題を解決するための、順応性があり効率的な長期的解決策を提供する。
【００３０】
本発明のこれらの実施形態は、位置領域と隣接セル・リストのセルとを関連付ける特定の情報をブロードキャストシステム情報に追加することにより実現できる。これは、以下でさらに詳しく説明されるように2G側または3G側で達成できる。
【００３１】
ネットワークを中心とした本発明のいくつかの例示的実施形態は、次のとおりである。例示的実施形態では、追加情報がRANシステム情報ブロードキャストメッセージに追加され、UEに対し既に禁止されている位置領域に属するセルを避けるのに十分な案内がUEに提供される。この場合、2G RANシステム情報ブロードキャストメッセージ内で受信される3G隣接セル・リスト上の各セルについて、明確なLAおよび／またはPLMN情報が追加される。あるいは、この情報は3G RANシステム情報ブロードキャストメッセージに追加されて、UEが、2Gセルに戻ってそこで動作を続ける場合にこの追加情報を使用できるようにしてもよい（なお、従来の方式によると、PLMN情報は3Gセル上で既に提供されているが、LA情報は提供されていない）。
【００３２】
この実施形態では、RANシステム情報ブロードキャストメッセージ内で完全なLA情報をブロードキャストするのではなく、3Gセル・グループが同じLAに属するかどうかを示すように情報が単純化され、UEが、グループ内の１つのセルについて実際のLAを判断できれば、同一グループ内の他の3GセルのLAも同じであると推測できるようにする。
【００３３】
さらなる非限定的な実施形態によれば、コア・ネットワークが、位置更新拒否メッセージ内で禁止LAリストも送信してUEに通知する。この情報があり、さらに隣接3GセルのLA情報がUEに分かれば（例えば、上記の解決策のうちの１つを使用することによってか、または既存の手順を使用することによって）、UEは、その「ローミング禁止位置領域」リストにまだ載っていない位置領域に入るたびに位置更新を試行する必要がなくなる。
【００３４】
本発明のUEのみの例示的実施形態によれば、UEはその環境から受信する情報を格納し、そうすることで禁止LAの一部であると既に分かっている同じセルまたはセル・グループへのその後のセル再選択を避けることができる。
【００３５】
UEのみの実施形態は、拒否原因＃15を伴う位置更新拒否（LU：Location Update拒否）をUEが受信するときに、現在3GPP TS 24.008により要求されている「ローミング禁止LA」リスト（本願明細書では禁止LAIリストとも呼ばれる）にLAIを載せることに加え、UEによりLU拒否が受信されたセルと同じ周波数に属する全3Gセルへのその後の再選択をUEが禁止することによって実装できる。これは、セルの周波数およびそのLAIを最小限とする一定量のセル情報を格納することで達成できる。その結果、禁止LAIリストに関連して使用される、セルまたは周波数についてのRANレベルの「ブラック・リスト」が作成され、LAIが禁止されている限りはその周波数のどのセルに対してもUEがセル再選択を試行することはなくなる。
【００３６】
例示的な非限定的実施形態では、最高ランクのセルが、「ローミング禁止LAリスト」の一部であることかまたは登録済みPLMNに相当すると示されていないPLMNに属することが原因で適さない、同一周波数セルまたは異周波数セル（3GPP TS25.331で定義されているものなど）であれば、UEは、このセルおよび同じ周波数の他のセルを、最高300秒間、再選択の候補として見なしてはならない。最高ランクのセルが、「ローミング禁止LAリスト」の一部であることかまたは登録済みPLMNに相当すると示されていないPLMNに属することが原因で適さない、異なるRATのセルであれば、UEはこのセルを、最高300秒間、再選択の候補として見なしてはならない。本願明細書で使用される「登録済みPLMN」は、UEの登録先のPLMNを指す。例えば、PLMN間の共同ローミング契約などに基づき、他のPLMNが、登録済みPLMNと等しいとUEによって認識されることもある。
【００３７】
図1を参照すると、UEのみの解決策を実装する方法の非限定的な例示的実施形態が図示されている。なお、図1の論理流れ図、ならびに図2の論理流れ図では、UEは移動局（MS）と呼ばれている。図示されているように、ステップ1Aで、UEは特定のRATのセルにキャンプ・オンする。ステップ1Bで、現在のRAT RANネットワークから受信された隣接セル／周波数のリストに基づき、UEが測定を実行する。なお、隣接セルは同じRATに属することも、または異なるRATに属することもあり、これらの測定は隣接セルからのブロードキャストメッセージから行われると思われる。ステップ1Cで、UEは、例えば3GPP TS45.008および3GPP TS25.304で定義されているものなど、無線に基づく一定の基準を満たすセルまたは複数セルのリストを見つける。ステップ1Dで、UEは再選択対象のセルを選択する。選択されたセルは、現在のセルと同じRATに属してもよく、または異なるRATに属してもよい。
【００３８】
再選択対象のセルを選択すると、ステップ1Eで、選択されたセルがセル／周波数のRANレベルのブラック・リストに載っているかどうかが判断されるが、その構成については以下でさらに詳しく説明される。選択されたセルが載っていなければ、ステップ1Fで、選択されたセルの適切性について判断される。選択されたセルが適切であると思われれば、処理はステップ1Iに続く。選択されたセルが適切であると思われなければ、処理はステップ1Gに続く。同様に、ステップ1Eで、選択されたセルがセル／周波数のRANレベルのブラック・リストに載っていると判断されると、処理はステップ1Gに続く。なお、「選択されたセル」の使用は、UEが接触を試行するということを示すものではない。正しくは、UEはセルを選択すると、そのセルへの定着を試行する前にセルの適切性を評価する。本願明細書における用途から明らかなように、「選択されたセル」という用語は、UEがそのセルの選択または再選択を試行するということを示すものではない。正しくは、UEはセルを選択すると、そのセルへのキャンプ・オンを試行する前にセルの適切性を評価する。
【００３９】
ステップ1Gで、選択対象の候補リストに別のセルがあるかどうかが判断される。利用可能な別の候補があれば、処理はステップ1Dに続く。利用可能な候補がなければ、処理はステップ1Hに続き、その結果UEは現在のセルにキャンプ・オンしたままとなり、処理はステップ1Bに続く。
【００４０】
ステップ1Iで、UEは選択されたセルにキャンプ・オンし、RANから隣接セル／周波数のリストを受信する。ステップ1Jで、UEはコア・ネットワークとの位置更新手順を開始する。ステップ1Kで、ネットワークは、このLA／PLMN内におけるUEの存在を拒否する。ステップILでUEは、例えば3GPP TS24.008に従って、禁止LAIリスト上に現在のセルのLA識別情報（LAI）を格納し、タイマーを始動させる。ステップ1MでUEは、セル測定により取得されたセル情報を格納するRANレベルのブラック・リストを保存する。このセル情報は、a）現在のセルの周波数のみ、b）現在のセルの周波数およびコード、c）RAN提供の隣接リスト内の周波数／セル、およびd）現在のセルのRATを含むことができる。この情報は、それが取得されたセルのLAIに関連付けられる。ステップ1Nで、UEはキャンプ・オンするのに適切なセルを探し、ステップ1Aへ進む。適切なセルは、UEが現在あるのとは異なるRATに属し、異なるPLMNおよび／または異なるLAを有するセルである可能性もある。
【００４１】
セル／周波数の妨害時間はいくつかの方法で定義できる。以下のリストは妨害時間の選択肢の例である。
1）いつまでも。
2）セル再選択が次に成功するまで。
3）RANから新たな隣接セル・リストが受信されるまで。
4）禁止LAIリストの存続期間の現在の定義による。これは、その周波数の全セルが、LAIが禁止LAIリストに記載されている限り禁じられるということを意味する。このリストの処理法に関する規定（いつそれを消去するかを含む）は、現在のところ3G TS 24.008で定められている。
5）禁止LAIリストに記載されているのと同じLAIを有するLAで、次に位置更新が成功するまで。
6）任意のRANシステム内で、任意のLAIにおいて次に位置更新が成功するまで。
7）禁止LAIリスト内のLAIのRANシステムに相当するRANシステムで、次に位置更新が成功するまで。
【００４２】
妨害時間を越えると、隣接セル／周波数のリストが消去される。
【００４３】
図2を参照すると、本発明の例示的な非限定的実施形態による、UEがRANレベルのブラック・リストを消去する方法が図示されている。図示されているように、ステップ2Aでは、UEがセルにキャンプ・オンしている。禁止LAIリスト消去パラメータの時間切れ、サブスクライバ識別モジュール（SIM：subscriber identity module）の削除、または電源オフという状況に対応する、３つのうちのいずれかが引き起こされると（a、b、c）、処理はステップ2Bへ進み、ここで禁止LAIリストの情報が消去される。続いて処理はステップ2Cに続き、ここでRANレベルのブラック・リストが消去される。
【００４４】
オプション1（opt1）に従い、位置登録の失敗の後の最初のセル再選択（FIRST_CELL_RESEL_AFT_FAILED_LR）という状況が発生すると、処理はさらにステップ2Cに進む。オプション2（opt2）に従い、登録試行失敗の後にUEが新たな隣接リストを受信すると（NEW_NLIST_RECEIVED_AFT_FAILED_LR）、処理は同じくステップ2Cへ進む。オプション3a（opt3a）に従い、最初の位置登録成功（FIRST_SUCCESSFUL_LR）という状況が発生すると、処理は同じくステップ2Cへ進む。
【００４５】
オプション3b（opt3b）に従い、FIRST_SUCCESSFUL_LRという状況が発生すると、処理はさらにステップ2Dへ進む。ステップ2Dで、現在のセルのLAIが禁止LAIリストに載っているLAIと同じであれば、処理はステップ2Fへ続き、RANレベルのブラック・リストが消去される。あるいは、現在のセルのLAIが禁止LAIリストに載っているLAIと同じでなければ、処理はステップ2Gへ続き、RANレベルのブラック・リストにはそれ以上何もされない。
【００４６】
オプション3c（opt3c）に従い、FIRST_SUCCESSFUL_LRという状況が発生すると、処理はさらにステップ2Eへ進む。ステップ2Eで、現在のセルのLAIおよびRATが禁止LAIリストに載っているLAIと同じであれば、処理はステップ2Fへ続き、RANレベルのブラック・リストが消去される。あるいは、現在のセルのLAIおよびRATが禁止LAIリストに載っているLAIと同じでなければ、処理はステップ2Gへ続き、RANレベルのブラック・リストにはそれ以上何もされない。
【００４７】
RANレベルのブラック・リストの使用は、様々な形で適用できる。１つの技術では、拒否原因＃15を伴うLU拒否をUEが受信すると、3G隣接セル・リストに属するすべての3Gセルが禁じられる。同じ技術をより控えめな形で適用すると、拒否原因＃15を伴うLU拒否が受信されたセルのみがUEにより禁じられるようになる。
【００４８】
前述の説明による妨害は、主としてUE中心の自主的なセル再選択に適用され、例えば禁じられている周波数へのハンドオーバーを妨げないことが好ましい。
【００４９】
上述のUEを中心とした最適化の例示的実施形態では、UEはその環境から受信する情報を格納および記憶し、そうすることで、禁止LAまたはPLMNの一部であると分かった（または同じLAの一部であると考えられる）同じセルまたはセル・グループへのその後のセル再選択を避けることができるようになる。UEは、この場合もやはり前にLR試行が拒否されたセルを特定するのに使用できる、周波数、および／または、スクランブリング・コードなどのその他の特性を記憶してもよい。
【００５０】
以下の例は、本発明の例示的実施形態による、LAグループ化のためのネットワークを使った解決策を、3G RANシステム情報ブロードキャストメッセージ上の簡略化されたLA情報のみを使用してどのように実装できるかを示す。完全なLA情報を含めることで有益性が高まると判断されれば、メッセージ・フィールドに多少の変更を加えてこの例示的実施形態を使用することもできる。
【００５１】
システム情報ブロック・タイプ18は、アイドル・モードならびに接続モードで考慮される隣接セルのPLMN識別情報を含む。下線を引いた太字で示されている情報要素（IE：information element）は、本発明の例示的実施形態に従い追加されたものである。
【表１】
2009505547.tif 000003
【００５２】
この前掲のIEは隣接セルのLAグループ化を含んでいるが、次のとおり構成されてもよい。
【表２】
2009505547.tif 000004
【００５３】
なお、上記の２つの表に関して、フィールド「maxCellMeas」は3GPP TS 25.331に定義されており、各「LAグループ」フィールドはサービス中のセルと異なるLAを示し、それに基づいてセルIDのリストが与えられる。上記のコーディングでは、「LAグループ」フィールドは、単に、既定された範囲に限定されている数字である。さらにこれは、実際の位置領域識別情報（LAI）の情報により置き換えることもできる。実際のLAI情報が必要であれば、UEは同じ「LAグループ」フィールドのもとに記載されているセルのうちの１つからLAI情報を取得するだけでよい。
【００５４】
必要な情報が2G RANシステム情報ブロードキャストメッセージ上でブロードキャストされる実施形態については、実装において、各3G隣接セルのLAおよび場合によってはPLMN情報が、新たに定義されたシステム情報メッセージ・タイプ内でブロードキャストされてもよく、あるいは、システム情報タイプ2quaterなどの既存のメッセージ・タイプに、新たなフィールドが追加されてもよい。
【００５５】
以下の非限定的な例は、新たなフィールドを既存のシステム情報メッセージ・タイプに追加するとき、システム情報のコーディングがどのように実現され得るかを示す。前述と同じく、下線を引いた太字で示されている情報要素（IE）は、本発明の例示的実施形態に従って追加されたものである。
【表３】
2009505547.tif 000005
【００５６】
ここで、LAI_ID_3Gフィールドは、LAIに属する隣接セルの完全なLAIを表すこともでき、または簡略化されたLAIを表すこともできる。
【００５７】
フィールド「Number_of_3G_Neighbour_Cells」（3G隣接セル数）は、いくつの隣接セルがLAI_ID_3Gにより特定されるLAIに属するかを表すのに使用され、さらに、「3G_Neighbour_Cell_Index」（3G隣接セルインデックス）または「3G_Neighbour_Cell_bitmap」（3G隣接セルビットマップ）フィールドの長さを表すために使用される。
【００５８】
この例示的実施形態は、ネットワークを使用した実施形態のうちの２つ、「LAブロードキャストによる解決策」および「LAグループ化による解決策」を実装するときに使用されるとよい。
【００５９】
例えば、隣接する領域の他のPLMNが同じ無線周波数を使用することもある境界領域においては、不適切なセルのリストからセルを削除する基準について考慮されることが好ましい。
【００６０】
ネットワークを中心とした例示的実施形態は、現在のシステム情報を理解する必要が依然としてあるレガシーUEに問題を引き起すことを避けるよう設計されている。隣接リストの全く新しいコード化を使用するよりも、隣接リスト上の異なるセルのLAについて別のリストをブロードキャストすることが好ましいと思われる。これは、現在コード化されているとおりに隣接リストを送信し、次にリストに加えて、隣接リスト上の各セルまたはセル・グループのLAを同一のインデックスを使用して特定することにより、最適に行われると思われる。この追加情報は、メッセージに十分な容量があれば、同じシステム情報メッセージに含めることも可能である。容量がなければ新たなメッセージが導入されればよい。
【００６１】
UEに基づくRANレベルのブラック・リストは、有効である可能性のある再選択候補（単数または複数）の3Gセルを失わないように、ブラック・リストの消去基準を考慮して、システム標準なしでUEにより実現されるとよい。
【００６２】
図3は、本発明の例示的実施形態を実装するのに適した装置のブロック図である。無線通信システム10は、少なくとも１つのネットワーク構成要素12に具現化されたRANを含み、ネットワーク構成要素12は、送受信機22を有するUE20と双方向通信するよう、基地局16などの送受信機14に組み合わされる。ネットワーク構成要素12は、データ・プロセッサ12Aを含むかまたはこれに組み合わされると想定され、プロセッサ12Aもまた、記憶装置12Bを含むかまたはこれに組み合わされる。記憶装置12Bは、データおよびオペレーティング・プログラムを格納し、このプログラムは、１つまたは複数のプログラム13を含み、これを実行すると、本発明のネットワークを使用した実施形態が実現される。UE20はさらに、データ・プロセッサ20Aを含むかまたはこれに組み合わされると想定され、このデータ・プロセッサ20Aもまた、記憶装置20Bを含むかまたはこれに組み合わされる。記憶装置20Bは、データおよびオペレーティング・プログラムを格納し、このプログラムは、実行されると本発明のUE中心の実施形態（単数または複数）を実現する１つまたは複数のプログラム21を含む。なお、この場合、記憶装置20Bは上記のように、RANレベルのブラック・リスト20Cをさらに格納するとよい。ネットワークを使用した実施形態では、記憶装置20Bは、ローミング禁止位置領域リストをさらに格納してもよい。プログラム21は、UE20が、UE中心の実施形態の図1および2の論理流れ図を実現できるようにし、さらに／またはネットワークを使用した実施形態に従い動作している場合は、上記のネットワークから発生したメッセージに応答できるようにする。なお、LAおよびそのアクセス制限は無線システムのCNによる管理が可能であり、SI（B）およびその配布はRANによる管理が可能である。なお、さらにこの点については、CNに関係のあるSIは、ネットワークのCNエンティティからRANにより受信され、RANによりブロードキャストチャネルにマップされるとよい。上記の例示的実施形態では異なる構成要素として図示されているが、本発明の代わりの例示的な非限定的実施形態では、ネットワーク構成要素12および基地局16の機能を単一の構成要素に組み合わせることも可能である。
【００６３】
一般的に、UE20の種々の実施形態は、セル式電話、無線通信機能を有する携帯情報端末（PDA：personal digital assistant）、無線通信機能を有する携帯用コンピュータ、無線通信機能を有するデジタル・カメラなどの画像キャプチャ・デバイス、無線通信機能を有するゲーム・デバイス、無線通信機能を有する音楽記憶再生機器、無線でのインターネット・アクセスおよびブラウジングが可能なインターネット機器、ならびにそのような機能の組み合わせが組み込まれた携帯用ユニットまたは携帯端末を含み得るが、これらに限定はされない。
【００６４】
言及したとおり、本発明の実施形態の一部は、ネットワーク構成要素12のデータ・プロセッサ12Aおよび／またはUE20のデータ・プロセッサ20Aにより実行可能なコンピュータ・ソフトウェアによって、さらに／または専用のハードウェアによって、もしくはソフトウェアとハードウェアとの組み合わせによって実装されるとよい。さらにこの点について、図1および2の論理流れ図の種々のブロックは、プログラム・ステップ、相互接続された論理回路、ブロックおよび機能、またはプログラム・ステップと、論理回路、ブロックおよび機能との組み合わせを表し得ることに留意されたい。
【００６５】
記憶装置12Bおよび20Bは、ローカル技術環境に適した任意のタイプでよく、半導体ベースの記憶デバイス、磁気記憶デバイスおよび磁気記憶システム、光学記憶デバイスおよび光学記憶システム、固定記憶装置および取り外し可能な記憶装置など、任意の適切なデータ格納技術を使用して実装されるとよい。データ・プロセッサ12Aおよび20Aは、ローカル技術環境に適した任意のタイプでよく、非限定的な例として、汎用コンピュータ、専用コンピュータ、マイクロプロセッサ、デジタル信号プロセッサ（DSP：digital signal processor）およびマルチコア・プロセッサ構造に基づくプロセッサのうち、１つまたは複数を含むとよい。
【００６６】
概して、種々の実施形態は、ハードウェアまたは専用回路、ソフトウェア、論理またはこれらの任意の組み合わせに実装され得る。例えば、一部の態様をハードウェアに実装する一方、他の態様を、制御装置、マイクロプロセッサまたは他のコンピュータ・デバイスによる実行が可能なファームウェアもしくはソフトウェアに実装してもよいが、本発明はこれに限定はされない。本発明の種々の実施形態は、ブロック図、流れ図として、またはその他何らかの図形表現を使用して図示および表現できるが、当然のことながら、本願明細書で説明されたこれらのブロック、装置、システム、技術または方法は、非限定的な例として、ハードウェア、ソフトウェア、ファームウェア、専用回路または専用論理、汎用ハードウェアもしくは汎用制御装置、もしくはその他コンピュータ・デバイス、またはこれらの何らかの組み合わせに実装されてもよい。
【００６７】
本発明の実施形態は、集積回路モジュールなどの種々の構成要素で実践することができる。集積回路の設計は全般的にみて、高度に自動化されたプロセスである。論理レベルの設計を、半導体基板上にすぐにエッチングおよび形成ができる半導体回路設計に変換するために利用可能な、複雑かつ強力なソフトウェア・ツールが複数ある。
【００６８】
カリフォルニア州マウンテン・ビュー（Mountain View，California）のシノプシス社（Synopsys，Inc.）、およびカリフォルニア州サンノゼ（San Jose，California）のケイデンス・デザイン（Cadence Design）により提供されているようなプログラムは、確立された設計ルール、ならびに記憶済みの設計モジュールのライブラリを使用して、自動的に半導体チップ上に導体を経路付けし、構成要素を位置付ける。半導体回路の設計が完了すれば、結果として生じた設計が製造用に、半導体加工施設、つまり「製造工場」へ、標準化された電子フォーマット（例えばOpus、GDSII、または同様のものなど）で送信されればよい。
【００６９】
前述の議論に基づくと当然のことではあるが、本発明は、その非限定的な態様において、無線ネットワークが位置領域関連情報をUE20へ送信できるようにして、UE20が、位置領域関連情報と隣接セル情報とを関連付けて、特定のセルが禁止位置領域に属するかどうかを判断できるようにする、装置、方法およびコンピュータ・プログラムを提供する。図4を参照すると、本発明の例示的実施形態に従った方法の流れ図が図示されている。ステップ4Aで、UE20は位置領域関連情報を受信する。ステップ4Bで、UE20は受信した位置領域関連情報と隣接セル情報とを関連付け、特定のセルが禁止位置領域に属するかどうかを判断する。無線ネットワークは、非限定的な一実施形態において、2G RANシステム情報ブロードキャストメッセージ内で受信される3G隣接セル・リスト内の各セルについて、明確なLAおよび／またはPLMN情報などの追加情報をRANシステム情報ブロードキャストメッセージに追加することによってか、または、情報を3G RANシステム情報ブロードキャストメッセージに含めることによって、ブロードキャストシステム情報を使用して位置領域と隣接セル・リストのセルとを関連付ける情報を送信し、それによってUE20が、2Gセルに戻ってそこで動作を続ける場合にこの追加情報を使用できるようにするとよい。
【００７０】
図5を参照すると、本発明の代わりの例示的実施形態による方法が図示されている。ステップ5Aで、無線ネットワークは、3Gセル・グループが同じLAに属するかどうかを示すとよい。続いて、ステップ5BでUE20が、グループ内の１つのセルの実際のLAを判断できれば、ステップ5Cで、同一グループ内の他の3GセルのLAが同じであると推測または判断するとよい。あるいは、無線ネットワークは、位置更新拒否メッセージを使用してUE20に禁止LAリストを送信して、UE20が、UE20のローミング禁止位置領域リストにまだ載っていない位置領域に入るときに、位置更新を試行する必要がないようにしてもよい。
【００７１】
さらに、前述の議論に基づくと当然のことではあるが、本発明は、その別の非限定的な態様において、UE20が、その環境から受信する情報を格納して、禁止LAの一部であると判断された同じセルまたはセル・グループへのその後のセル再選択を避けられるようにする、装置、方法およびコンピュータ・プログラムを提供する。図6を参照すると、本発明の例示的実施形態による方法が図示されている。ステップ6Aで、UE20はその環境から受信する情報を格納する。ステップ6Bで、UE20は格納された情報を使用して、禁止LAの一部であると判断された同じセルまたはセル・グループへのその後のセル再選択を避ける。この例示的実施形態では、UE20は拒否原因＃15を伴う位置更新拒否（LU拒否）を受信し、「ローミング禁止LA」リストにLAIを記載することに加えて、さらに、UE20がLU拒否を受信したセルと同じ周波数に属する全3Gセルへのその後の再選択を禁止し、それによって、LAIが禁止されている限りその周波数のいかなるセルに対するセル再選択も避けるために禁止LAIリストと共に使用する、セルまたは周波数のRANレベルのブラック・リストを作成する。UE20はさらに、RANレベルのブラック・リストから情報を選択的に削除するべく動作可能である。
【００７２】
当業者であれば、前述の説明を添付の図面と共に読み考慮すると、種々の変更および適応がすぐに分かるであろう。ほんの数例として、他の同様または等価なメッセージ・タイプ、メッセージ・フォーマット、ならびにIEフォーマットおよび構成情報の使用が、当業者により試行されてもよい。
【００７３】
さらに、対象のセルからSI3／4を移動局が確認する必要がなくなるため、本発明の例示的実施形態は、例えばサービス中のセルがPBCCH／PCCCHを使用しており移動局がGPRSアタッチ状態のときなど、上記のように2Gシステムの場合に生じる問題を解決するべく、役立てられるよう使用されるとよい。
【００７４】
なお、この発明の教示に対するこのような変更および同様の変更はすべて、依然として本発明の非限定的な実施形態の範囲に含まれる。
【００７５】
さらに、本発明の種々の非限定的な実施形態の一部の特性を、他の特性の使用を伴わずに使用して役立ててもよい。このように、前述の説明は、本発明の原理、教示、例示的実施形態を説明するものに過ぎず、それを限定するものではないと見なされるべきである。
【図１Ａ】
2009505547.tif 000006
【図１Ｂ】
2009505547.tif 000007
【図２】
2009505547.tif 000008
【図３】
2009505547.tif 000009
【図４】
2009505547.tif 000010
【図５】
2009505547.tif 000011
【図６】
2009505547.tif 000012
【国際調査報告】
2009505547.tif 000013
2009505547.tif 000014
2009505547.tif 000015